(57)【要約】      （修正有）【課題】第１の方向に使用されるときに、動物の被毛から抜け毛を除去するのに適し、第２の方向に使用されるときに、動物の被毛のもつれを解くのに適するブラシを提供する。【解決手段】動物用グルーミングブラシは、一方向の剛性より他方向の剛性が高い、弾性的な可撓性を有するピンを備え、ブラシが第１の方向に使用されるとき、より剛性の高いブラシとして作用し、第２の方向に使用されるとき、より柔らかいブラシとして作用する。第１および第２の方向は、互いに実質的に垂直であってもよい。ブラシのピンは、それらの長さ方向の少なくとも一部において、一方向の太さが他方向の太さより大きくてもよい。ピンは、より長いピンとより短いピンの交互の列に配置されてもよい。【選択図】図７
0003211274.tif 000002
【実用新案登録請求の範囲】
【請求項１】
一方向の剛性が他方向の剛性より高い、複数の弾性的な可撓性を有するピンを備えた動物用グルーミングブラシであって、第１の方向へ使用されるときに動物の被毛から抜け毛の除去を行うのに適したより剛性の高いブラシとして作用し、第２の方向へ使用されるときに動物の被毛のもつれを解くのに適したより柔らかいブラシとして作用する、動物用グルーミングブラシ。
【請求項２】
前記第１の方向と前記第２の方向は、互いに対して実質的に垂直であることを特徴とする、請求項１記載の動物用グルーミングブラシ。
【請求項３】
前記ピンは、前記ピンの長さ方向の少なくとも一部において一方向の太さが他方向の太さよりも大きいことを特徴とする、請求項１または２に記載の動物用グルーミングブラシ。
【請求項４】
前記ピンの長さ方向における所与の点での幅は、最も細い部分と最も太い部分の比が１．２５から１．５０の間であることを特徴とする、請求項３に記載の動物用グルーミングブラシ。
【請求項５】
前記ピンの断面形状は、前記ピンの長さ方向の少なくとも一部において細長いことを特徴とする、請求項３または４に記載の動物用グルーミングブラシ。
【請求項６】
前記ピンの断面形状は、前記ピンの長さ方向の少なくとも一部において長円形であることを特徴とする、請求項５に記載の動物用グルーミングブラシ。
【請求項７】
前記ピンは、離間された複数の列に配置されることを特徴とする、請求項１乃至６のいずれか１項に記載の動物用グルーミングブラシ。
【請求項８】
各列における夫々の前記ピンは、等間隔に離間されることを特徴とする、請求項７に記載の動物用グルーミングブラシ。
【請求項９】
前記列は、一方の列の一本のピンが、隣接する列の二本のピンの実質的に中間に位置するように、互いに対してずれて配置されることを特徴とする、請求項８に記載の動物用グルーミングブラシ。
【請求項１０】
前記ピンは、二種類以上の異なる長さを有することを特徴とする、請求項１乃至９のいずれか１項に記載の動物用グルーミングブラシ。
【請求項１１】
前記ピンは、複数の列に配置され、且つ一つの列のピンの大多数は、隣接する列のピンの大多数に対して異なる長さであることを特徴とする、請求項１０に記載の動物用グルーミングブラシ。
【請求項１２】
前記ピンにはより長いピンとより短いピンがあり、前記より長いピンの長さと前記より短いピンの長さの比は、１．５から２．５の範囲内であることを特徴とする、請求項１０または１１に記載の動物用グルーミングブラシ。
【請求項１３】
少なくとも三列のピンを備えることを特徴とする、請求項１乃至１２のいずれか１項に記載の動物用グルーミングブラシ。
【請求項１４】
前記ブラシの全てのピンの少なくとも半数は、一方向の剛性が他方向の剛性より高いことを特徴とする、請求項１乃至１３のいずれか１項に記載の動物用グルーミングブラシ。
【請求項１５】
本体を備える請求項１乃至１４のいずれか１項に記載の動物用グルーミングブラシであって、前記ブラシの前記本体は、二つの異なる向きに利用者の片手で夫々把持されるような大きさと形状になされ、前記第１の方向および前記第２の方向の両方向における前記ブラシの使用が容易になる、動物用グルーミングブラシ。
【請求項１６】
前記ブラシの前記本体は、対向する側部を有し、前記側部の少なくとも一方は、利用者の片手によって把持されることを容易にする形状になされることを特徴とする、請求項１５に記載の動物用グルーミングブラシ。
【請求項１７】
前記ブラシの前記本体は、前記側部に対して略垂直に延び且つ対向する端部を有し、前記端部の少なくとも一方は、利用者の片手によって把持されることを容易にする形状になされることを特徴とする、請求項１６に記載の動物用グルーミングブラシ。
【請求項１８】
少なくとも一方の前記側部または一方の前記端部が凹状であることを特徴とする、請求項１７に記載の動物用グルーミングブラシ。
【請求項１９】
両方の前記側部および両方の前記端部が凹状であることを特徴とする、請求項１８に記載の動物用グルーミングブラシ。
【請求項２０】
動物の毛の手入れ方法であって、
請求項１乃至１９のいずれか１項に記載の動物用グルーミングブラシを用意し、
前記ブラシを使用して動物をブラッシングし、前記被毛のもつれを解くために、前記ブラシを前記動物の被毛に通しながら前記第２の方向へ前記ブラシを動かし、
前記ブラシを使用して動物をブラッシングし、前記抜け毛の除去を行うために、前記ブラシを前記動物の被毛に通しながら前記第１の方向へ前記ブラシを動かすことを特徴とする、毛の手入れ方法。
【考案の詳細な説明】
【技術分野】
【０００１】
本考案は、動物の毛の手入れ方法に関し、特に、但し限定的にではなく、犬の毛の手入れをするためのグルーミングブラシに関する。
【背景技術】
【０００２】
犬および他の動物は、一般的に二種類の被毛、即ち、より長い毛から構成される目に見える上毛、およびより短い毛から構成されるより密集した下毛を有する。下毛は定常的に抜け落ちており、毛が家具に蓄積されることを予防するために、犬の飼い主はブラシを使用してこれらの抜け毛を取り除く。この処理は、抜け毛の除去（ｄｅ−ｓｈｅｄｄｉｎｇ）として知られている。
【０００３】
効率的に抜け毛の除去を行うには、剛性の高いピン（ｂｒｉｓｔｌｅ）を持つブラシが必要となる。しかしながら剛性の高いピンのブラシは、犬の被毛のもつれに絡まりがちである。犬の被毛から予めもつれが解かれていなければ、ブラシの使用が難しくなり、犬にとって不快となり得る。毛のもつれを解くには異なるブラシの使用が必要となる。しかしながら、毛の手入れ中のブラシの交換は手間が掛かり、不便である。
【考案の概要】
【考案が解決しようとする課題】
【０００４】
本考案の実施形態は、これらの問題を考慮してなされたものである。
【課題を解決するための手段】
【０００５】
本考案の動物用グルーミングブラシは、一方向の剛性が他方向の剛性より高い、複数の弾性的な可撓性を有するピンを備え、ブラシが第１の方向へ使用されるときに動物の被毛から抜け毛を除去するのに適したより剛性の高いブラシとして作用し、第２の方向へ使用されるときに動物の被毛のもつれを解くのに適したより柔らかいブラシとして作用する。
【０００６】
両方の機能を持つ一つのブラシを有することは、複数のブラシ間での切り替えを必要とするよりも便利である。
【０００７】
ブラシのピンは、一方向の剛性が他方向の剛性よりも少なくとも１０％、または少なくとも２０％高くてもよい。
【０００８】
第１の方向と第２の方向は、互いに対して実質的に垂直であってもよい。
【０００９】
ブラシのピンは、ピンの長さ方向の少なくとも一部において一方向の太さが他方向の太さよりも大きくてもよい。ピンは、ピンの長さ方向の全て、または略全てにわたって、一方向における太さが他方向の太さよりも大きくてもよい。
【００１０】
ピンの長さ方向における所与の点での最も細い幅と最も太い幅の比は、１．１または１．２から１．５または１．７の間であってもよい。
【００１１】
ピンの断面形状は、ピンの長さ方向の少なくとも一部、略全て、または全てにわたって細長くてもよい。任意の適切な断面形状が使用されてもよい。連続的に湾曲した縁を有する形状が好ましく、それによってピンは、毛を引っ掛けたり損傷したりし得る尖鋭な角部を有さないことになる。ピンの断面形状は、ピンの長さ方向の少なくとも一部、略全て、または全てにわたって長円形、および楕円形であってもよい。
【００１２】
ピンは、離間された複数の列内に配置されてもよい。夫々の列におけるこれらのピンは、等間隔に離間されていてもよい。一方の列の一本のピンが、隣接する列の二本のピンの実質的に中間に位置するように、これらの列が互いに対してずれて配置されてもよい。ピンの列の数は少なくとも２、３、４、５、６列、またはそれ以上あってもよい。夫々の列に、２、３、４、５、６本、またはそれ以上の本数のピンがあってもよい。
【００１３】
ピンの長さは、二種類以上あってもよい。ピンが複数の列に配置される場合、一方の列のピンの大多数は、隣り合う列のピンの大多数と異なる長さであってもよい。一方の列の全てのピンは実質的に同じ長さであってもよく、隣接する列の全てのピンは、一方の列のピンとは異なる長さを有し、且つ全て実質的に同じ長さであってもよい。
【００１４】
より長いピンとより短いピンがあってもよく、より長いピンの長さとより短いピンの長さの比は、１．２５または１．５から２または２．５の範囲内であってもよい。
【００１５】
より長いピンの列とより短いピンの列が交互に配置されてもよい。
【００１６】
ブラシの全てのピンの少なくとも半数において、一方向の剛性が他方向の剛性より高くてもよい。ブラシの全てのピン、または略全てのピンにおいて、一方向の剛性が他方向の剛性より高くてもよい。
【００１７】
ブラシは本体を備えてもよい。本体は、二つの異なる向きの各々において利用者の片手で快適に把持されるような大きさと形状になされてもよく、それによって第１の方向および第２の方向の両方向におけるブラシの使用が容易となる。
【００１８】
一実施形態では、本体は略垂直に延びる対向する側部を有し、側部の少なくとも一方、好適には両方が、利用者の片手によって把持されることを容易にする形状になされている。側部の一方または両方は、凹状であってもよい。側部の一方または両方は、手の指を受ける刻み目があってもよい。本体は、側部に対して略垂直に延び且つ対向する端部も有し、端部の少なくとも一方、好適には両方が、同様に利用者の片手によって把持されることを容易にする形状になされていてもよい。端部の一方または両方は、凹状であってもよい。端部の一方または両方には、手の指を受ける刻み目があってもよい。
【００１９】
本考案の動物用グルーミングブラシは、本考案によるヘアブラシを用意し、ブラシを使用して動物にブラッシングをし、被毛のもつれを解くためにブラシを動物の被毛に通しながら第２の方向へ動かし、ブラシを使用して動物にブラッシングをし、抜け毛を除去するためにブラシを動物の被毛に通しながら第１の方向へ動かす、動物の毛の手入れ方法も備えている。
【図面の簡単な説明】
【００２０】
以下、本考案の例示的な実施形態を添付図面に基づいて詳細に説明する。
【図１】図１は、本考案のブラシを上から見た斜視図である。
【図２】図２は、図１のブラシの端面図である。
【図３】図３は、図１のブラシを下から見た斜視図である。
【図４】図４は、図１のブラシの平面図である。
【図５】図５は、図１のブラシの側面図である。
【図６】図６は、図１のブラシの下部平面図である。
【図７】図７は、ブラシのピンの配列の平面図である。
【図８】図８は、図７の丸で囲まれた領域の拡大図である。
【図９】図９は、図７の配列の側面図である。
【図１０】図１０は、図７の配列の端面図である。
【図１１】図１１は、図９の切断線Ａ−Ａに沿った断面図である。
【図１２】図１２は、図７の切断線Ｂ―Ｂに沿った断面図である。
【図１３】図１３は、図１２の丸で囲まれた領域の拡大図である。
【図１４】図１４は、図７の切断線Ｃ−Ｃに沿った断面図である。
【図１５】図１５は、図１４の丸で囲まれた領域の拡大図である。
【考案を実施するための形態】
【００２１】
以下の説明において、「前部（ｆｒｏｎｔ）」、「後部（ｂａｃｋ）」、「上部（ｔｏｐ）」、「底部（ｂｏｔｔｏｍ）」、および同様の用語は、図示されている物品の向きを指しているが、それに限定されるものではない。
【００２２】
上述の図１乃至図６には、動物、特に犬の毛の手入れをするためのグルーミングブラシが示されている。図７乃至図１５には、図１乃至図６のブラシの一部を形成するピンの配列が示されている。
【００２３】
ブラシは、プラスチックによって成形された本体１を備えている。この本体は、より長い側部とより短い端部を有し、細長くなっている。側部は、本体がその中央部に向かって狭くなるように凹状であり、垂直軸を中心に湾曲している。端部もまた凹状であり、水平軸を中心に湾曲している。この本体の凹み、ならびにその全体的な大きさと形状によって、利用者は本体の側部または端部を片手で快適に把持することが可能になる。本体がその側部で把持されると、図３の矢印２で示されるように、ブラシの長軸に対して実質的に垂直な方向に動かされるブラッシング動作が容易になる。本体がその端部で把持されると、図４の矢印３で示されるように、ブラシの長軸に対して実質的に平行な方向に動かされるブラッシング動作が容易になる。
【００２４】
本体１は、その下側に開口し、且つ複数のインサート４が中に嵌合される空洞を画定している。ブラシの下側にあるインサートの露出表面は実質的に凸状であり、インサートの夫々の表面は、実質的に垂直に突出するように成形されたピンの配列を備え、且つそれらのピンを支持している。ピンは、それらのインサートと一体成形されている。ピンは、弾性的な可撓性を有するプラスチック材料から成形されている。適切な材料は、コポリエステルおよび脂肪族ポリアミド（ナイロン）、特に、Ｅ．Ｉ．ｄｕ  Ｐｏｎｔ  ｄｅ  Ｎｅｍｏｕｒｓ  ａｎｄ  Ｃｏｍｐａｎｙによって商標Ｈｙｔｒｅｌで販売されているコポリエステルのような、熱可塑性エラストマである。Ｈｙｔｒｅｌのグレード（Ｇｒａｄｅｓ  оｆ  Ｈｙｔｒｅｌ）が、ショアＤ硬度４５から８２であるものが特に適している。
【００２５】
ピンには、より長いピン５とより短いピン６の二種類がある。より短いピンの長さは、より長いピンの長さの約半分である。ピンは、より長いピンの列とより短いピンの列に配置され、これらの列は交互に配列されている。夫々の列において、ピン同士は実質的に同じ間隔を空けて、実質的に均一に配置されている。これらの列は、実質的に直線状であり、互いに対しておよびブラシの本体１の長軸に対して、実質的に平行に延びている。隣り合う列は、列の方向に対して垂直に見たときに、一つの列の一本のピンが、隣接する列の二本のピンの実質的に中間に位置するように、互いに対してずれて配置されている。ピンの列は、隣り合う列の互いの中心線間の距離と、夫々の列において隣り合うピンの互いの中心部間の距離の半分とが実質的に等しいように、間隔を空けて配置されている。
【００２６】
ピンは全てテーパ状であり、インサート４にあるピンの基部からピンの自由端に向かって先細りしており、ピンの自由端はドーム状となっている。より長いピン５は、第１のテーパを有するインサートから延びる第１の部分と、第１の部分のテーパ角度よりも小さなテーパ角度を有する第２の部分との二つの部分に分けられている。テーパの角度の変化は、第１の部分と第２の部分との間の境界を画定する。より短いピンは、それらの全長にわたって実質的に一定のテーパを有する。
【００２７】
より長いピン５において、より短いピンを越えて突出する少なくとも一部分の断面積は、ドーム状端部を除いて、より短いピンのいずれの部分よりも小さい。したがって、より長いピン５のこの領域は、より短いピン６よりも僅かに可撓性が高い。加えて、ピンの長さが形成材料を撓ませるために大きく影響するので、より長いピン５にはより高い可撓性が与えられる。
【００２８】
全てのピンは、それらのピンの長さ方向全体にわたって、実質的に長円形の断面を有する。全てのピンは、それらの長円形断面の短軸が互いに対して、且つ本体１の軸に対して実質的に平行であるように配向されている。長円形断面の長軸の長さは、短軸の長さの約二倍である。つまり、本体１の軸に対して垂直に見たときのピンの太さは、本体１の軸に対して平行に見たときのピンの太さの約半分である。
【００２９】
ピンの断面における長円形状によって、長円形断面の長軸に垂直な方向への湾曲よりも平行な方向への湾曲が、より剛性が高くなる。したがって図示された実施形態では、ピンは、本体１の長軸に平行な方向への湾曲よりも、本体１の長軸に垂直な方向への湾曲が、より剛性が高い。異なる方向におけるピンの剛性の差分によって、異なる機能が実行されるようにブラシを使用することが可能となる。
【００３０】
抜け毛を除去するためには、比較的に剛性の高いピンが必要である。これは、ブラシを動物の被毛に通して、本体１の長軸に対して略垂直な方向２に動かすことによって達成され得る。このとき動物の被毛を通って移動するピンは、ピンの引っ張りによってその長円形断面の長軸の平行面に沿って、つまり剛性がより高い方向に、湾曲しようとする傾向にある。
【００３１】
毛のもつれを解くためには、比較的に可撓性の高いピンが必要である。これは、ブラシを動物の被毛に通して、本体１の長軸に対して略平行な方向３に動かすことによって達成され得る。この場合、動物の被毛を通って移動するピンは、ピンの引っ張りによってその長円形断面の短軸の平行面に沿って、つまり剛性がより低い方向に、湾曲しようとする傾向にある。
【００３２】
ブラシの本体１の軸に対して平行、および垂直な方向を向くピンの様々な太さによって、ブラシは、一方向に使用されると抜け毛を除去するように利用され、垂直方向に使用されると毛のもつれを解くように利用される。つまり利用者は、二つの異なる機能を実行するために同じブラシを使用できる。したがって、抜け毛を除去する前に動物の毛のもつれを解くことができる。また、抜け毛除去中に毛のもつれに遭遇した場合、その時点でブラシの向きを単純に変えるだけで動物の毛のもつれを解くことができる。
【００３３】
当然のことながら、ブラシがいずれかの方向に使用されるときに、抜け毛の除去および毛のもつれを解く機能は同時にある程度果たされるが、特定の方向に使用されるときにこの抜け毛の除去および毛のもつれを解く機能が最適化されることに留意されたい。
【００３４】
一実施形態では、長いピンは約１３．５ｍｍの高さを有する。これらのピンの基部での長円形断面の長軸は約２．０ｍｍであり、短軸は約１．４ｍｍである。ドーム状部を除き、ピンの自由端の長円形断面の長軸が約１．０ｍｍ、および短軸が約０．７ｍｍとなるようピンはその全長にわたって先細りしている。短いピンは約７．０ｍｍの高さを有し、それらの基部での長円形断面の長軸は約１．４ｍｍ、短軸は約１．０ｍｍであり、ドーム状部を除くそれらの自由端の長円形断面の長軸が約１．２ｍｍ、および短軸が約０．８ｍｍとなるよう先細りしている。隣り合う短いピンの列と長いピンの列は、夫々の列におけるピンの中心を通る線の間に約２．７５ｍｍの距離で離間されている。夫々の列におけるピン同士の中心は、約５．５０ｍｍ離間されている。これらの寸法は、所望の、または適切な寸法に変更されてもよい。
【００３５】
上述した実施例は単に例示の目的で示しているにすぎず、添付の実用新案登録請求の範囲において定義される考案の要旨を逸脱することなく、種々変更可能である。
【符号の説明】
【００３６】
１  本体
２  第１の方向
３  第２の方向
４  インサート
５  より長いピン
６  より短いピン
【図１】
0003211274.tif 000003
【図２】
0003211274.tif 000004
【図３】
0003211274.tif 000005
【図４】
0003211274.tif 000006
【図５】
0003211274.tif 000007
【図６】
0003211274.tif 000008
【図７】
0003211274.tif 000009
【図８】
0003211274.tif 000010
【図９】
0003211274.tif 000011
【図１０】
0003211274.tif 000012
【図１１】
0003211274.tif 000013
【図１２】
0003211274.tif 000014
【図１３】
0003211274.tif 000015
【図１４】
0003211274.tif 000016
【図１５】
0003211274.tif 000017
【手続補正書】
【提出日】平成29年3月29日(2017.3.29)
【手続補正１】
【補正対象書類名】実用新案登録請求の範囲
【補正対象項目名】全文
【補正方法】変更
【補正の内容】
【実用新案登録請求の範囲】
【請求項１】
一方向の剛性が他方向の剛性より高い、複数の弾性的な可撓性を有するピンを備えた動物用グルーミングブラシであって、第１の方向へ使用されるときに動物の被毛から抜け毛の除去を行うのに適したより剛性の高いブラシとして作用し、第２の方向へ使用されるときに動物の被毛のもつれを解くのに適したより柔らかいブラシとして作用し、
前記ピンは、より長いピンとより短いピンを含み、前記より長いピンは、前記より短いピンを超える突出部を有し、前記より長いピンの前記突出部の少なくとも一部分は、前記より短いピンよりも可撓性が高いことを特徴とする、動物用グルーミングブラシ。
【請求項２】
前記第１の方向と前記第２の方向は、互いに対して実質的に垂直であることを特徴とする、請求項１記載の動物用グルーミングブラシ。
【請求項３】
前記ピンは、前記ピンの長さ方向の少なくとも一部において一方向の太さが他方向の太さよりも大きいことを特徴とする、請求項１または２に記載の動物用グルーミングブラシ。
【請求項４】
前記ピンの長さ方向における所与の点での幅は、最も細い部分と最も太い部分の比が１．２５から１．５０の間であることを特徴とする、請求項３に記載の動物用グルーミングブラシ。
【請求項５】
前記ピンの断面形状は、前記ピンの長さ方向の少なくとも一部において細長いことを特徴とする、請求項３または４に記載の動物用グルーミングブラシ。
【請求項６】
前記ピンの断面形状は、前記ピンの長さ方向の少なくとも一部において長円形であることを特徴とする、請求項５に記載の動物用グルーミングブラシ。
【請求項７】
前記ピンは、離間された複数の列に配置されることを特徴とする、請求項１乃至６のいずれか１項に記載の動物用グルーミングブラシ。
【請求項８】
各列における夫々の前記ピンは、等間隔に離間されることを特徴とする、請求項７に記載の動物用グルーミングブラシ。
【請求項９】
前記列は、一方の列の一本のピンが、隣接する列の二本のピンの実質的に中間に位置するように、互いに対してずれて配置されることを特徴とする、請求項８に記載の動物用グルーミングブラシ。
【請求項１０】
前記ピンは、二種類以上の異なる長さを有することを特徴とする、請求項１乃至９のいずれか１項に記載の動物用グルーミングブラシ。
【請求項１１】
前記ピンは、複数の列に配置され、且つ一つの列のピンの大多数は、隣接する列のピンの大多数に対して異なる長さであることを特徴とする、請求項１０に記載の動物用グルーミングブラシ。
【請求項１２】
前記ピンには前記より長いピンと前記より短いピンがあり、前記より長いピンの長さと前記より短いピンの長さの比は、１．５から２．５の範囲内であることを特徴とする、請求項１０または１１に記載の動物用グルーミングブラシ。
【請求項１３】
少なくとも三列のピンを備えることを特徴とする、請求項１乃至１２のいずれか１項に記載の動物用グルーミングブラシ。
【請求項１４】
前記ブラシの全てのピンの少なくとも半数は、一方向の剛性が他方向の剛性より高いことを特徴とする、請求項１乃至１３のいずれか１項に記載の動物用グルーミングブラシ。
【請求項１５】
本体を備える請求項１乃至１４のいずれか１項に記載の動物用グルーミングブラシであって、前記ブラシの前記本体は、二つの異なる向きに利用者の片手で夫々把持されるような大きさと形状になされ、前記第１の方向および前記第２の方向の両方向における前記ブラシの使用が容易になる、動物用グルーミングブラシ。
【請求項１６】
前記ブラシの前記本体は、対向する側部を有し、前記側部の少なくとも一方は、利用者の片手によって把持されることを容易にする形状になされることを特徴とする、請求項１５に記載の動物用グルーミングブラシ。
【請求項１７】
前記ブラシの前記本体は、前記側部に対して略垂直に延び且つ対向する端部を有し、前記端部の少なくとも一方は、利用者の片手によって把持されることを容易にする形状になされることを特徴とする、請求項１６に記載の動物用グルーミングブラシ。
【請求項１８】
少なくとも一方の前記側部または一方の前記端部が凹状であることを特徴とする、請求項１７に記載の動物用グルーミングブラシ。
【請求項１９】
両方の前記側部および両方の前記端部が凹状であることを特徴とする、請求項１８に記載の動物用グルーミングブラシ。